(57)【要約】【課題】ユーザがデータ通信装置にログインすることなく、送信元からジョブが送信されたデータ通信装置を特定することができるデータ通信装置の特定方法を提供する。【解決手段】データ通信装置１０１が情報処理装置１０４から受信したジョブの生成の指示を行ったユーザを特定する情報であるユーザ情報１及び携帯端末１０５を所持するユーザを特定する情報であるユーザ情報２が対応するときにデータ通信装置１０１の強調表示ユニット２０５が点灯する。【選択図】図６
2016092762.tif 000002
【特許請求の範囲】
【請求項１】
送信元に関連する第１の識別情報を含むジョブを受信し、前記受信したジョブに基づいて処理を実行するデータ通信装置の特定方法であって、
通信によって前記送信元から前記ジョブを送信したユーザに関連する第２の識別情報を取得する取得ステップと、
前記第１の識別情報及び前記第２の識別情報が対応するか否かを判別する判別ステップと、
前記第１の識別情報及び前記第２の識別情報が対応するとき、前記ユーザへ通知を行う通知ステップとを備えることを特徴とするデータ通信装置の特定方法。
【請求項２】
前記ジョブは前記処理の設定情報を含み、
前記通知ステップは、前記設定情報に対応する処理が実行可能であるとき、前記処理が開始される前に前記ユーザへ通知を行うことを特徴とする請求項１記載のデータ通信装置の特定方法。
【請求項３】
前記データ通信装置は複数種の色を表示する表示手段を備え、
前記通知ステップは、前記第１の識別情報及び前記第２の識別情報が対応するときに前記複数種の色のうち少なくとも１種類の特定の色を前記表示手段に表示させることを特徴とする請求項１又は２記載のデータ通信装置の特定方法。
【請求項４】
前記データ通信装置は複数種の音声を出力する音声出力手段を備え、
前記通知ステップは、前記第１の識別情報及び前記第２の識別情報が対応するときに前記複数種の音声のうち少なくとも１種類の特定の音声を前記音声出力手段に出力させることを特徴とする請求項１乃至３のいずれか１項に記載のデータ通信装置の特定方法。
【請求項５】
前記データ通信装置とデータ通信を行い、且つ前記第１の識別情報を含むジョブを格納するサーバ装置へ前記取得した第２の識別情報を送信する送信ステップをさらに備え、
前記サーバ装置は前記第１の識別情報及び前記第２の識別情報が対応するか否かを示す信号を前記データ通信装置に送信し、
前記判別ステップでは、前記データ通信装置が前記信号を受信し、前記受信した信号に基づいて前記第１の識別情報及び前記第２の識別情報が対応するか否かを判別することを特徴とする請求項１乃至４のいずれか１項に記載のデータ通信装置の特定方法。
【請求項６】
送信元に関連する第１の識別情報を含むジョブを受信し、前記受信したジョブに基づいて処理を実行するデータ通信装置の特定方法をコンピュータに実行させるプログラムであって、
前記データ通信装置の特定方法は、
通信によって前記送信元から前記ジョブを送信したユーザに関連する第２の識別情報を取得する取得ステップと、
前記第１の識別情報及び前記第２の識別情報が対応するか否かを判別する判別ステップと、
前記第１の識別情報及び前記第２の識別情報が対応するとき、前記ユーザへ通知を行う通知ステップとを備えることを特徴とするプログラム。
【請求項７】
送信元に関連する第１の識別情報を含むジョブを受信し、前記受信したジョブに基づいて処理を実行するデータ通信装置であって、
通信によって前記送信元から前記ジョブを送信したユーザに関連する第２の識別情報を取得する取得手段と、
前記第１の識別情報及び前記第２の識別情報が対応するか否かを判別する判別手段と、
前記第１の識別情報及び前記第２の識別情報が対応するとき、前記ユーザへ通知を行う通知手段とを備えることを特徴とするデータ通信装置。
【請求項８】
前記ジョブは前記処理の設定情報を含み、
前記通知手段は、前記設定情報に対応する処理が実行可能であるとき、前記処理が開始される前に前記ユーザへ通知を行うことを特徴とする請求項７記載のデータ通信装置。
【請求項９】
前記データ通信装置は複数種の色を表示する表示手段を備え、
前記通知手段は、前記第１の識別情報及び前記第２の識別情報が対応するときに前記複数種の色のうち少なくとも１種類の特定の色を前記表示手段に表示させることを特徴とする請求項７又は８記載のデータ通信装置。
【請求項１０】
前記データ通信装置は複数種の音声を出力する音声出力手段を備え、
前記通知手段は、前記第１の識別情報及び前記第２の識別情報が対応するときに前記複数種の音声のうち少なくとも１種類の特定の音声を前記音声出力手段に出力させることを特徴とする請求項７乃至９のいずれか１項に記載のデータ通信装置。
【請求項１１】
前記データ通信装置とデータ通信を行い、且つ前記第１の識別情報を含むジョブを格納するサーバ装置へ前記取得した第２の識別情報を送信する送信手段をさらに備え、
前記サーバ装置は前記第１の識別情報及び前記第２の識別情報が対応するか否かを示す信号を前記データ通信装置に送信し、
前記判別手段は、前記サーバ装置から受信した前記信号に基づいて前記第１の識別情報及び前記第２の識別情報が対応するか否かを判別することを特徴とする請求項７乃至１０のいずれか１項に記載のデータ通信装置。
【発明の詳細な説明】
【技術分野】
【０００１】
本発明は、データ通信装置の特定方法、プログラム、及びデータ通信装置に関する。
【背景技術】
【０００２】
データ通信装置はＬＡＮ等を介して情報処理装置及びサーバ装置とデータ通信を行って各種処理を実行する。例えば、情報処理装置はユーザの操作によってサーバ装置へジョブを送信し、サーバ装置は受信したジョブを格納する。また、サーバ装置はデータ通信装置から送信されたジョブ送信の要求通知に応じてデータ通信装置へジョブを送信し、データ通信装置は受信したジョブに応じて各種処理を実行する（例えば、特許文献１参照）。データ通信装置がユーザ認証機能を備える場合、当該データ通信装置は、情報処理装置を操作したユーザを認証し、当該ユーザがデータ通信装置にログインした後に受信したジョブに応じて各種処理を実行する。ジョブには、当該ジョブの送信先であるデータ通信装置を特定する情報、例えば、当該データ通信装置に対応するＩＰアドレス情報が含まれる。また、ジョブは当該ジョブに含まれる情報に基づいて管理サーバ等によって管理される（例えば、特許文献２参照）。
【０００３】
ところで、ジョブに応じた処理を実行する候補として複数のデータ通信装置が存在する場合、ユーザは複数のデータ通信装置のうち少なくとも１つを選択し、選択されたデータ通信装置にジョブが送信される。
【先行技術文献】
【特許文献】
【０００４】
【特許文献１】特開２０００−０３５８６９号公報
【特許文献２】特開２００６−０９９７１４号公報
【発明の概要】
【発明が解決しようとする課題】
【０００５】
しかしながら、ユーザは複数のデータ通信装置のうちジョブの送信先として選択したデータ通信装置がいずれであるかを忘れることがあるが、このような場合、ユーザが各データ通信装置にログインして送信したジョブが存在するか否かを確認しないとジョブの送信先として選択したデータ通信装置を特定することができない。
【０００６】
本発明の目的は、ユーザがデータ通信装置にログインすることなく、送信元からジョブが送信されたデータ通信装置を特定することができるデータ通信装置の特定方法、プログラム、及びデータ通信装置を提供することにある。
【課題を解決するための手段】
【０００７】
上記目的を達成するために、本発明のデータ通信装置の特定方法は、送信元に関連する第１の識別情報を含むジョブを受信し、前記受信したジョブに基づいて処理を実行するデータ通信装置の特定方法であって、通信によって前記送信元から前記ジョブを送信したユーザに関連する第２の識別情報を取得する取得ステップと、前記第１の識別情報及び前記第２の識別情報が対応するか否かを判別する判別ステップと、前記第１の識別情報及び前記第２の識別情報が対応するとき、前記ユーザへ通知を行う通知ステップとを備えることを特徴とする。
【発明の効果】
【０００８】
本発明によれば、受信したジョブの送信元に関連する第１の識別情報及びジョブを送信したユーザに関連する第２の識別情報が対応するときにユーザへ通知が行われる。これにより、データ通信装置が受信したジョブの送信元がジョブを送信したユーザに対応することが分かるため、ユーザが送信元から送信したジョブを受信したデータ通信装置を特定することができる。すなわち、ユーザがデータ通信装置にログインすることなく、送信元からジョブが送信されたデータ通信装置を特定することができる。
【図面の簡単な説明】
【０００９】
【図１】本発明の実施の形態に係るデータ通信装置を含むデータ通信システムの構成を概略的に示すブロック図である。
【図２】図１におけるデータ通信装置の構成を概略的に示すブロック図である。
【図３】図１における情報処理装置の構成を概略的に示すブロック図である。
【図４】図１における携帯端末の構成を概略的に示すブロック図である。
【図５】図１における携帯端末の外観を説明するための図である。
【図６】図１のデータ通信システムで実行される通知処理を説明するためのフローチャートである。
【図７】図１のデータ通信システムの変形例の構成を概略的に示すブロック図である。
【図８】図７のデータ通信システムで実行される通知処理を説明するためのフローチャートである。
【図９】図２におけるデータ通信装置の表示パネルの一例を示す図である。
【図１０】図２におけるデータ通信装置の表示パネルに表示される色を説明するための図である。
【発明を実施するための形態】
【００１０】
以下、本発明の実施の形態を図面を参照しながら詳述する。
【００１１】
本実施の形態では、印刷処理を実行するデータ通信装置に本発明を適用した場合について説明するが、本発明の適用先は印刷処理を実行するデータ通信装置に限られず、データ通信を行うデータ通信装置であれば本発明を適用することができる。
【００１２】
図１は、本発明の実施の形態に係るデータ通信装置１０１〜１０３を含むデータ通信システム１００の構成を概略的に示すブロック図である。
【００１３】
図１において、データ通信システム１００は、データ通信装置１０１〜１０３、情報処理装置１０４、携帯端末１０５、及びＨＵＢ１０６を備える。各データ通信装置１０１〜１０３は各ＬＡＮケーブル１０６ａ〜１０６ｃを用いてＨＵＢ１０６と夫々接続され、情報処理装置１０４はＬＡＮケーブル１０６ｄを用いてＨＵＢ１０６と接続されている。情報処理装置１０４は、ＨＵＢ１０６を介してデータ通信装置１０１〜１０３のうちユーザに選択された少なくとも１つのデータ通信装置、例えば、データ通信装置１０１に印刷ジョブを送信する。データ通信装置１０１は、ユーザが当該データ通信装置１０１にログインすると、受信した印刷ジョブに応じて印刷処理を実行する。携帯端末１０５は、例えば、Ｂｌｕｅｔｏｏｔｈ（登録商標）を用いた近距離無線通信（以下、「ＢＬＴ通信」という）を行って各データ通信装置１０１〜１０３及び情報処理装置１０４とデータ通信を行う。
【００１４】
図２は、図１におけるデータ通信装置１０１の構成を概略的に示すブロック図である。
【００１５】
本実施の形態において、データ通信装置１０１〜１０３は同様の構成を有するため、以下、一例として、データ通信装置１０１の構成について説明する。
【００１６】
図２において、データ通信装置１０１は、制御ユニット２０１、印刷ユニット２０２、ＬＡＮＩ／Ｆ２０３、近距離無線通信ユニット２０４、強調表示ユニット２０５、及びＵＩ２０６を備える。
【００１７】
制御ユニット２０１は上述した各構成要素と夫々接続され、上述した各構成要素を統括的に制御する。印刷ユニット２０２は制御ユニット２０１によって生成されたラスタ印刷データを用紙に印刷する。ＬＡＮＩ／Ｆ２０３はＬＡＮケーブル１０６ａで接続されたＨＵＢ１０６を介して情報処理装置１０４とデータ通信を行う。例えば、ＬＡＮＩ／Ｆ２０３は情報処理装置１０４から印刷ジョブを受信する。近距離無線通信ユニット２０４は、例えば、Ｂｌｕｅｔｏｏｔｈ機能を備える携帯端末１０５とＢＬＴ通信を行う。強調表示ユニット２０５は制御ユニット２０１から送信される制御信号に応じて点灯及び消灯を行ってユーザへの通知を行う。ＵＩ２０６は、タッチパネル式の表示パネル２０７及びキー入力部２０８を備え、ユーザが入力した各種設定情報を制御ユニット２０１に送信する。また、ＵＩ２０６は制御ユニット２０１から送信される制御信号に応じて表示パネル２０７の表示内容を更新する。
【００１８】
図３は、図１における情報処理装置１０４の構成を概略的に示すブロック図である。
【００１９】
図３において、情報処理装置１０４は、ＣＰＵ３０１、ＭＣＨ（Ｍｅｍｏｒｙ  Ｃｏｎｔｒｏｌｌｅｒ  Ｈｕｂ）３０２、ＲＡＭ３０３、ＩＣＨ（Ｉ／Ｏ  Ｃｏｎｔｒｏｌｌｅｒ  Ｈｕｂ）３０４、ＨＤＤ３０５、ＰＨＹ３０６、及びＬＡＮコネクタ３０７を備える。ＭＣＨ３０２にはＣＰＵ３０１、ＲＡＭ３０３、及びＩＣＨ３０４が夫々接続され、ＩＣＨ３０４にはＭＣＨ３０２の他に、ＨＤＤ３０５及びＰＨＹ３０６が夫々接続されている。ＬＡＮコネクタ３０７はＰＨＹ３０６と接続されている。
【００２０】
ＣＰＵ３０１はＭＣＨ３０２及びＩＣＨ３０４を介して上述した各構成要素を統括的に制御する。ＲＡＭ３０３は、高速ランダムアクセスを行うメモリであり、ＣＰＵ３０１が実行する各種制御プログラムを格納し、また、ＣＰＵ３０１で実行された演算結果を格納する。ＨＤＤ３０５はＣＰＵ３０１が実行する各種制御プログラムを格納する。ＰＨＹ３０６はＬＡＮコネクタ３０７を介して接続されるデータ通信装置１０１〜１０３とデータ通信を行い、例えば、データ通信装置１０１〜１０３へ印刷ジョブを送信する。
【００２１】
図４は、図１における携帯端末１０５の構成を概略的に示すブロック図である。
【００２２】
図４において、携帯端末１０５は、制御ユニット４０１、フラッシュメモリ４０２、近距離無線通信ユニット４０３、及びＵＩ部４０４を備える。制御ユニット４０１は上述した各構成要素を統括的に制御する。フラッシュメモリ４０２は携帯端末１０５で実行される各種プログラムコードや設定パラメータを格納する。近距離無線通信ユニット４０３は、例えば、Ｂｌｕｅｔｏｏｔｈ機能を備えるデータ通信装置１０１〜１０３とＢＬＴ通信を行う。近距離無線通信ユニット４０３はＢＬＴ通信によって後述するユーザ情報をデータ通信装置１０１〜１０３へ送信する。ＵＩ部４０４は、図５に示すようにタッチパネル式の表示パネル５０１及びキー入力部５０２を備え、ユーザが入力した各種設定情報を制御ユニット４０１に送信する。
【００２３】
図６は、図１のデータ通信システム１００で実行される通知処理を説明するためのフローチャートである。
【００２４】
図６の処理において、データ通信装置１０１〜１０３のうち印刷ジョブの送信先としてユーザがデータ通信装置１０１を選択し、該選択されたデータ通信装置１０１が印刷処理を実行する場合について説明する。
【００２５】
ユーザはデータ通信装置１０１〜１０３のうち印刷ジョブの送信先として選択したデータ通信装置がいずれであるかを忘れることがあるが、このような場合、従来ではユーザがデータ通信装置１０１〜１０３の各々にログインして送信した印刷ジョブが存在するか否かを確認しないと印刷ジョブの送信先であるデータ通信装置１０１を特定することができない。
【００２６】
これに対応して、図６の処理では、印刷処理を行う際に、ユーザが所持する携帯端末１０５から後述するユーザ情報２を取得し、印刷ジョブに含まれる当該印刷ジョブの生成の指示を行ったユーザを特定する情報であるユーザ情報１（送信元に関連する第１の識別情報）及び携帯端末１０５を所持するユーザを特定する情報であるユーザ情報２（第２の識別情報）が対応するときにデータ通信装置１０１の強調表示ユニット２０５が点灯する。
【００２７】
図６において、まず、情報処理装置１０４は、ユーザによる印刷ジョブの生成の指示に応じて印刷ジョブの生成の指示を行ったユーザを特定する情報であるユーザ情報１を設定し（ステップＳ６０１）、設定したユーザ情報１を含む印刷ジョブを生成する（ステップＳ６０２）。次いで、情報処理装置１０４は生成した印刷ジョブをデータ通信装置１０１に送信する（ステップＳ６０３）。
【００２８】
一方、データ通信装置１０１にログインしてステップＳ６０３で送信された印刷ジョブに応じた印刷処理を開始させるために携帯端末１０５を所持するユーザがデータ通信装置１０１に近付く際、携帯端末１０５は携帯端末１０５を所持するユーザを特定する情報であるユーザ情報２を設定する（ステップＳ６０４）。次いで、携帯端末１０５は、データ通信装置１０１と近距離無線通信、例えば、ＢＬＴ通信を行うための通信設定を行う（ステップＳ６０５）。その後、携帯端末１０５はデータ通信装置１０１とＢＬＴ通信を行うことができる距離まで近付くと、ＢＬＴ通信によってステップＳ６０４で設定されたユーザ情報２を含む信号をデータ通信装置１０１に送信する（ステップＳ６０６）。ここで、携帯端末１０５はステップＳ６０５で通信設定が行われてから当該通信設定が解除されるまで継続してＢＬＴ通信によって信号を送信し続ける。
【００２９】
次いで、データ通信装置１０１は、ステップＳ６０３で情報処理装置１０４から送信された印刷ジョブを受信し（ステップＳ６０７）、受信した印刷ジョブに含まれるユーザ情報１を取得する（ステップＳ６０８）。一方、データ通信装置１０１は、ステップＳ６０６で携帯端末１０５から送信された信号を受信し（ステップＳ６０９）、受信した信号に含まれるユーザ情報２を取得する（ステップＳ６１０）（取得手段）。次いで、データ通信装置１０１は、携帯端末１０５を所持するユーザ、つまり、データ通信装置１０１に近付いたユーザが印刷ジョブの生成の指示を行ったユーザであるかを特定するために、ユーザ情報１及びユーザ情報２が対応するか否か、例えば、ユーザ情報１及びユーザ情報２が一致するか否かを判別する（ステップＳ６１１）（判別手段）。
【００３０】
ステップＳ６１１の判別の結果、ユーザ情報１及びユーザ情報２が対応しないとき、データ通信装置１０１はステップＳ６０９の処理に戻り、ユーザ情報１及びユーザ情報２が対応するとき、データ通信装置１０１は強調表示ユニット２０５を点灯させてユーザへの通知、具体的には、印刷ジョブに含まれるユーザ情報１と携帯端末１０５から送信された信号に含まれるユーザ情報２とが一致する旨の通知を行う（ステップＳ６１２）。つまり、本実施の形態では、印刷ジョブの生成の指示を行ったユーザがデータ通信装置１０１に近付くと、データ通信装置１０１の強調表示ユニット２０５が点灯する。
【００３１】
次いで、データ通信装置１０１は携帯端末１０５を所持するユーザのユーザ認証を行って当該ユーザのログインが許可されたか否かを判別する。データ通信装置１０１はユーザが入力した情報と予め設定された個人認証情報とが一致したときにログインを許可する。データ通信装置１０１は携帯端末１０５を所持するユーザのログインを許可すると（ステップＳ６１３）、強調表示ユニット２０５を消灯させる（ステップＳ６１４）。つまり、本実施の形態では、印刷ジョブの生成の指示を行ったユーザがデータ通信装置１０１に近付くと、強調表示ユニット２０５はログインが許可されるまで点灯し続け、ユーザへの通知を継続して行う。次いで、データ通信装置１０１は、ステップＳ６０７で受信した印刷ジョブに応じて印刷処理を実行し（ステップＳ６１５）、印刷処理が終了するとユーザをログアウトさせて（ステップＳ６１６）、本処理を終了する。
【００３２】
図６の処理によれば、情報処理装置１０４から受信した印刷ジョブの生成の指示を行ったユーザを特定する情報であるユーザ情報１及び携帯端末１０５を所持するユーザを特定する情報であるユーザ情報２が対応するときにデータ通信装置の強調表示ユニット２０５が点灯する。これにより、データ通信装置１０１が情報処理装置１０４から受信した印刷ジョブが携帯端末１０５を所持するユーザによって生成を指示された印刷ジョブであることを特定することができ、もって、携帯端末１０５を所持するユーザがデータ通信装置１０１にログインすることなく、情報処理装置１０４から印刷ジョブが送信されたデータ通信装置１０１を特定することができる。
【００３３】
以上、本発明について実施の形態を用いて説明したが、本発明は上述した実施の形態に限定されるものではなく、例えば、情報処理装置１０４から送信された印刷ジョブを格納するプリントサーバを用いた図７に示すデータ通信システム７００においても本発明を適用することができる。
【００３４】
図７は、図１のデータ通信システム１００の変形例の構成を概略的に示すブロック図である。
【００３５】
本変形例は、その構成、作用が上述した実施の形態と基本的に同じであるので、重複した構成、作用については説明を省略し、以下、上述した実施の形態と異なる構成、作用についてのみ詳細に説明する。
【００３６】
図７において、データ通信システム７００は、データ通信装置１０１〜１０３、情報処理装置１０４、携帯端末１０５、及びＨＵＢ１０６の他に、プリントサーバ７０１を備える。プリントサーバ７０１はＬＡＮケーブル７０１ａを用いてＨＵＢ１０６と接続されている。
【００３７】
情報処理装置１０４はＨＵＢ１０６を介してプリントサーバ７０１に印刷ジョブを送信し、プリントサーバ７０１は送信された印刷ジョブを格納する。データ通信装置１０１〜１０３のうち、例えば、ユーザがログインしたデータ通信装置１０１はプリントサーバ７０１に印刷ジョブの送信要求信号を送信する。プリントサーバ７０１は、受信した印刷ジョブの送信要求信号に応じてデータ通信装置１０１に印刷ジョブを送信し、格納している印刷ジョブのうちデータ通信装置１０１に送信した印刷ジョブを消去する。
【００３８】
図８は、図７のデータ通信システム７００で実行される通知処理を説明するためのフローチャートである。
【００３９】
図６の処理では、データ通信装置１０１がユーザ情報１及びユーザ情報２が対応するか否かの判別を行うが、例えば、データ通信装置１０１が複数の高負荷の処理を並行で実行する場合、データ通信装置１０１の処理能力が低いと上述した判別が実行されない場合がある。
【００４０】
これに対応して、図８の処理では、プリントサーバ７０１がユーザ情報１及びユーザ情報２が対応するか否かの判別を行って当該判別を行った結果を示す信号をデータ通信装置１０１に送信する。
【００４１】
図８において、まず、情報処理装置１０４は、図６のステップＳ６０１及びステップＳ６０２と同様の処理を行い、生成した印刷ジョブをプリントサーバ７０１に送信する（ステップＳ８０１）。
【００４２】
一方、データ通信装置１０１にログインしてステップＳ８０１で送信された印刷ジョブに応じた印刷処理を開始させるために携帯端末１０５を所持したユーザがデータ通信装置１０１に近付く際、携帯端末１０５は図６のステップＳ６０４〜ステップＳ６０６と同様の処理を行う。
【００４３】
次いで、プリントサーバ７０１は、情報処理装置１０４から印刷ジョブを受信し（ステップＳ８０２）、受信した印刷ジョブに含まれるユーザ情報１を取得する（ステップＳ８０３）。次いで、プリントサーバ７０１は、後述するステップＳ８０９でデータ通信装置１０１からユーザ情報２が送信されるまで待機する（ステップＳ８０４）。その後、プリントサーバ７０１は、ユーザ情報２を受信すると（ステップＳ８０４でＹＥＳ）、携帯端末１０５を所持するユーザ、つまり、データ通信装置１０１に近付いたユーザが印刷ジョブの生成の指示を行ったユーザであるかを特定するために、ユーザ情報１及びユーザ情報２が対応するか否か、例えば、ユーザ情報１及びユーザ情報２が一致するか否かを判別する。プリントサーバ７０１は判別した結果を示す信号をデータ通信装置１０１に送信し（ステップＳ８０５）、ステップＳ８０２の処理へ戻る。
【００４４】
一方、データ通信装置１０１は、ＢＬＴ通信によって携帯端末１０５から送信されたユーザ情報２を含む信号を受信したか否かを判別する（ステップＳ８０６）。ステップＳ８０６の判別の結果、上記ユーザ情報２を含む信号を受信していないとき、データ通信装置１０１は、c強調表示ユニット２０５を消灯させて（ステップＳ８０７）、ステップＳ８０６の処理に戻り、ユーザ情報２を含む信号を受信したとき、受信した信号に含まれるユーザ情報２を取得する（ステップＳ８０８）。データ通信装置１０１は取得したユーザ情報２をプリントサーバ７０１に送信する（ステップＳ８０９）（送信手段）。次いで、データ通信装置１０１は、ステップＳ８０５でプリントサーバ７０１からユーザ情報１及びユーザ情報２が対応するか否かを判別した結果を示す信号が送信されるまで待機し（ステップＳ８１０）、プリントサーバ７０１から送信された信号を受信すると（ステップＳ８１０でＹＥＳ）、受信した信号に基づいて強調表示ユニット２０５を点灯させるか否かを決定する（ステップＳ８１１）。具体的には、受信した信号がユーザ情報１及びユーザ情報２が一致することを示す信号である場合、すなわち、印刷ジョブの生成の指示を行ったユーザが携帯端末１０５を所持するユーザと一致する場合、強調表示ユニット２０５を点灯させることを決定し、該決定に応じてデータ通信装置１０１は強調表示ユニット２０５を点灯し（ステップＳ８１２）、ステップＳ８０６の処理へ戻る。一方、受信した信号がユーザ情報１及びユーザ情報２が一致していないことを示す信号である場合、すなわち、印刷ジョブの生成の指示を行ったユーザが携帯端末１０５を所持するユーザと一致しない場合、強調表示ユニット２０５を点灯させないことを決定し、該決定に応じてデータ通信装置１０１は強調表示ユニット２０５を消灯し（ステップＳ８１３）、ステップＳ８０６の処理へ戻る。
【００４５】
上述した図８の処理によれば、プリントサーバ７０１は、ユーザ情報１及びユーザ情報２が対応するか否かを判別し、判別した結果を示す信号をデータ通信装置１０１に送信し、データ通信装置１０１は受信した信号に基づいて強調表示ユニット２０５を点灯させるか否かを決定する。これにより、ユーザ情報１及びユーザ情報２が対応するか否かの判別処理の一部をプリントサーバ７０１に分配することができるので、データ通信装置１０１における判別処理の負荷を軽減することができる。
【００４６】
上述した図８の処理において、データ通信装置１０２，１０３がデータ通信装置１０１と同様の構成を有する場合、プリントサーバ７０１はジョブの送信要求信号を行ったデータ通信装置１０１の他に、データ通信装置１０２，１０３へも印刷ジョブを送信することができる構成であってもよい。この場合、各データ通信装置１０１〜１０３において、図８の処理が夫々実行され、印刷ジョブの生成の指示を行い、且つ携帯端末１０５を所持するユーザがデータ通信装置１０２，１０３にＢＬＴ通信を行うことができる距離まで近付くと、データ通信装置１０２，１０３の強調表示ユニットが夫々点灯する。
【００４７】
また、上述したデータ通信システム１００，７００において、図６及び図８の処理に加え、例えば、データ通信装置１０１において印刷処理における印刷枚数、用紙サイズを示す印刷設定情報に対応する印刷処理が実行可能であるか否かを判別し、当該印刷処理を実行可能である場合、データ通信装置１０１は上記印刷処理が開始される前に強調表示ユニット２０５を点灯させてもよい。これにより、印刷設定情報に対応する印刷処理が開始される前に、印刷ジョブに応じた印刷処理を実行できるデータ通信装置１０１を特定することができる。
【００４８】
上述した図６及び図８の処理において、ユーザへの通知は強調表示ユニット２０５の点灯によって行われたが、例えば、ＵＩ２０６の表示パネル２０７におけるメッセージの表示、複数種の音声（音声出力手段）による通知、及び図９に示す複数種の色の表示を行うことができる表示パネル２０７（表示手段）において表示される色を切り替えて少なくとも１種類の色を表示させることによって行われる通知によってユーザへの通知が行われてもよい。
【００４９】
また、上述した図６及び図８の処理において、データ通信装置１０１には、ユーザ情報１及びユーザ情報２から特定される各ユーザに対応した色を規定するテーブルが予め格納され、特定されたユーザに対応する色を強調表示ユニット２０５が表示することによってユーザへの通知を行ってもよい。さらに、各ユーザに対応した色を規定するテーブルにおいて、例えば、ユーザＡに対応して赤色が設定され、ユーザＢに対応して黄色が設定され、ユーザＣに対応して緑色が設定されている場合、複数のユーザがデータ通信装置１０１に近付くと、ユーザ情報１及びユーザ情報２に基づいて特定された各ユーザに対応する色を強調表示ユニット２０５が交互に表示することによってユーザへの通知を行ってもよい。具体的には、図１０に示すように、ユーザＡがデータ通信装置１０１に近付いた期間（Ｔ１〜Ｔ２）ではユーザＡに対応して赤色が強調表示ユニット２０５に表示され、ユーザＡ，Ｂがデータ通信装置１０１に近付いた期間（Ｔ２〜Ｔ３）ではユーザＡ，Ｂに対応して赤色及び黄色が強調表示ユニット２０５に交互に表示され、ユーザＡ〜Ｃがデータ通信装置１０１に近付いた期間（Ｔ３〜Ｔ４）ではユーザＡ〜Ｃに対応して赤色、黄色、緑色が交互に強調表示ユニット２０５に表示され、ユーザＡ，Ｃがデータ通信装置１０１に近付いていて且つユーザＢがデータ通信装置１０１にログインしている期間（Ｔ４〜Ｔ５）ではユーザＡ，Ｃに対応して赤色及び緑色が交互に強調表示ユニット２０５に表示される。
【００５０】
上述した図６及び図８の処理において、データ通信装置１０１でユーザへの通知が行われた際、同様の通知を携帯端末１０５で行ってもよく、例えば、データ通信装置１０１が受信した印刷ジョブが携帯端末１０５を所持するユーザによって生成を指示された印刷ジョブであることが特定されたとき、表示パネル５０１が発光してもよい。また、携帯端末１０５がデータ通信装置１０１で用いられる上述した各ユーザに対応した色を規定するテーブルを格納していると好ましい。この場合、表示パネル５０１は特定されたユーザに対応する色を表示する。
【００５１】
上述した図６及び図８の処理において、携帯端末１０５は、ステップＳ６０５で通信設定が行われてから当該設定が解除されるまで継続してＢＬＴ通信によって信号を送信し続けているが、例えば、情報処理装置１０４から印刷ジョブが送信された際に当該情報処理装置１０４から送信された制御信号に基づいて携帯端末１０５の通信設定が行われ、データ通信装置１０１が印刷ジョブに対応した印刷処理を終了した際に当該データ通信装置１０１から送信された制御信号に基づいて携帯端末１０５の通信設定が解除されてもよい。ここで、携帯端末１０５において、通信設定が行われている際にはＢＬＴ通信によって信号が送信され続けているので、携帯端末１０５に設けられる電池が消費され続けるが、上述したように、制御信号に基づいて携帯端末１０５の通信設定を解除することにより、携帯端末１０５において通信設定が行われている期間を必要最小限にすることができるので、携帯端末１０５の電池の消費を抑制することができる。
【００５２】
上述した図６及び図８の処理において、ユーザ情報１，２は、例えば、データ通信装置１０１にユーザがログインする際に用いられるユーザＩＤによって構成されてもよい。この場合、情報処理装置１０４及び携帯端末１０５がステップＳ６０１及びＳ６０４においてユーザ情報１，２の設定を行う前にデータ通信を行って予めユーザ情報１，２を共有しているのが好ましい。これにより、ステップＳ６０１及びＳ６０４において、内容が一致するユーザ情報１，２を確実に設定することができる。
【００５３】
上述した図６及び図８の処理において、プリントサーバ７０１が複数の印刷ジョブを格納し、ユーザ情報２に対応する印刷ジョブが複数存在する場合、プリントサーバ７０１はデータ通信装置１０１から送信されたユーザ情報２に対応する複数の印刷ジョブのリストをデータ通信装置１０１に送信し、データ通信装置１０１は送信されたリストにおける複数の印刷ジョブのうち、ＵＩ２０６を用いてユーザに所望の印刷ジョブを選択させてもよい。これにより、複数の印刷ジョブの生成を指示し、且つ携帯端末１０５を所持したユーザがデータ通信装置１０１に近付くと、ユーザは、データ通信装置１０１にログインすることなく、印刷ジョブが送信されるデータ通信装置１０１を特定することができるとともに、所望の印刷ジョブを選択することができる。これにより、印刷処理に関するユーザの利便性をより向上することができる。
【００５４】
上述した図６及び図８の処理において、ユーザ情報１及びユーザ情報２が一致するか否かの判別は、ユーザ情報１，２に含まれる情報の一部、例えば、ユーザ名のみが一致するか否かに基づいて行ってもよい。これにより、ユーザ名を含む情報であれば、ユーザ情報１及びユーザ情報２として用いることができるので、容易にユーザ情報１及びユーザ情報２の設定を行うことができる。
【００５５】
本発明は、上述の実施の形態の１以上の機能を実現するプログラムを、ネットワーク又は記憶媒体を介してシステム又は装置に供給し、そのシステム又は装置のコンピュータにおける１つ以上のプロセッサーがプログラムを読み出して実行する処理でも実現可能である。また、本発明は、１以上の機能を実現する回路（例えば、ＡＳＩＣ）によっても実現可能である。
【符号の説明】
【００５６】
１０１〜１０３  データ通信装置
２０５  強調表示ユニット
２０６  ＵＩ
７０１  プリントサーバ
【図１】
2016092762.tif 000003
【図２】
2016092762.tif 000004
【図３】
2016092762.tif 000005
【図４】
2016092762.tif 000006
【図５】
2016092762.tif 000007
【図６】
2016092762.tif 000008
【図７】
2016092762.tif 000009
【図８】
2016092762.tif 000010
【図９】
2016092762.tif 000011
【図１０】
2016092762.tif 000012